(57)【要約】      （修正有）【課題】頻繁に使用されても摩耗して装飾効果が薄くなることがないシートの支持構造を提供する。【解決手段】内部支持体１１を、シート３のシートバック３１に覆ってから、図柄１１２のある一面の内部支持体１１の下端部１１３をシートバック３１の裏側へ覆うように緊密に引っ張って、複数の固定素子２で、下端部１１３をシートバック３１に設置されたシートバック板３４に固定する。ステープルや釘等である上記固定素子２により、上記外部支持体１２が、内部支持体１１の外表面に設置され、上記内部支持体１１の図柄１１２や文字は、その表面に一層のメッシュがあるため、多様化になり、層次的に視覚効果が得られる。また、上記内部支持体１１の図柄１１２は、外部支持体１２によって隔離されるため、色が薄くなるや磨耗の問題が解消される。【選択図】図2
0003161155.tif 000002
【実用新案登録請求の範囲】
【請求項１】
表面に、図柄や文字が印刷される内部支持体と、
表面に、複数のメッシュが形成され、上記内部支持体の外表面に設置される外部支持体と、
が含有される、
ことを特徴とするシートの支持構造。
【請求項２】
上記外部支持体が、開口を有するカバー体であり、上記開口に、開閉するためのファスナーが設置されることを特徴とする請求項１に記載のシートの支持構造。
【請求項３】
上記内部支持体が、開口を有するカバー体であることを特徴とする請求項２に記載のシートの支持構造。
【請求項４】
上記内部支持体が、シート状で、上記外部支持体の内部に固定されることを特徴とする請求項２に記載のシートの支持構造。
【請求項５】
上記内部支持体と外部支持体が、シート状であり、その両側が、それぞれ、折り返して固定され、両側において、それぞれ、収納空間が形成されることを特徴とする請求項１に記載のシートの支持構造。
【請求項６】
上記内部支持体が、開口を有するカバー体であり、外部支持体が、シート状であることを特徴とする請求項１に記載のシートの支持構造。
【考案の詳細な説明】
【技術分野】
【０００１】
本考案は、支持構造に関し、特に、装飾効果が得られるシートの支持構造に関する。
【背景技術】
【０００２】
既存の、シートのシート面やシートバック及びヘッドレスト等に、美観のために、カバーが覆われるが、上記らのカバーは、レザー材や布からなるため、その色や模様が、単調になって、層次感がなく、また、布面に、図柄や文字が印刷されていて、その多様性が向上されるが、上記らの図柄は、シートの使用とともに、色が薄くなって、不美観になり、また、長期的に使用されると、布面が破損して使用できなくなることが多い。
【０００３】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００４】
本考案の主な目的は、上記内部支持体の表面にある図柄や文字と、上記網状の外部支持体とに合わせて、多様化でき、層次的な視覚効果が得られ、また、上記内、外部支持体の二重支持により、座る人に対して支持強度が向上されるシートの支持構造を提供する。
【課題を解決するための手段】
【０００５】
請求項１の考案は、表面に、図柄や文字が印刷される内部支持体と、表面に、複数のメッシュが形成され、上記内部支持体の外表面に設置される外部支持体と、が含有される、ことを特徴とするシートの支持構造である。
【０００６】
請求項２の考案は、上記外部支持体が、開口を有するカバー体であり、上記開口に、開閉するためのファスナーが設置されることを特徴とする請求項１に記載のシートの支持構造である。
【０００７】
請求項３の考案は、上記内部支持体が、開口を有するカバー体であることを特徴とする請求項２に記載のシートの支持構造である。
【０００８】
請求項４の考案は、上記内部支持体が、シート状で、上記外部支持体の内部に固定されることを特徴とする請求項２に記載のシートの支持構造である。
【０００９】
請求項５の考案は、上記内部支持体と外部支持体が、シート状であり、その両側が、それぞれ、折り返して固定され、両側において、それぞれ、収納空間が形成されることを特徴とする請求項１に記載のシートの支持構造である。
【００１０】
請求項６の考案は、上記内部支持体が、開口を有するカバー体であり、外部支持体が、シート状であることを特徴とする請求項１に記載のシートの支持構造である。
【００１１】
以下、図面を参照しながら、本考案の特徴や技術内容について、詳しく説明するが、それらの図面等は、参考や説明のためであり、本考案は、それによって制限されることが無い。
【考案を実施するための形態】
【００１２】
図１と図２を参照しながら、本考案に係るシートの支持構造１の第一実施例であり、上記支持構造１は、開口１１１を有するカバー体で、外表面に、図柄１１２や文字が印刷され、弾性布や他の布或いはレザーからなる内部支持体１１と、表面に、複数のメッシュが形成され、開口１２１を有するカバー体で、上記開口１２１に、開閉するためのファスナー１２２が設置され、弾性布や他の布或いはレザーからなる外部支持体１２と、が含有され、本実施例において、まず、上記内部支持体１１を、シート３のシートバック３１に覆ってから、図柄１１２のある一面の内部支持体１１の下端部１１３をシートバック３１の裏側へ覆うように緊密に引っ張って、複数の固定素子２で、下端部１１３をシートバック３１に設置されたシートバック板３４に固定し（図３のように）、ステープルや釘等である上記固定素子２により、上記外部支持体１２が、内部支持体１１の外表面に設置され、上記内部支持体１１の図柄１１２や文字は、上記外部支持体１２のメッシュに合わせて、図柄１１２の表面に、一層のメッシュがあるため、多様化になり、層次的に視覚効果が得られ、また、上記内部支持体１１の図柄１１２は、外部支持体１２によって隔離されるため、色が薄くなるや磨耗の問題が解消される。
【００１３】
図４は、支持構造１ａの第二実施例であり、上記外部支持体１２は、表面に、複数のメッシュが形成され、開口１２１を有するカバー体であり、上記開口１２１に、ファスナー１２２が設置され、内部支持体１１ａは、シート状であり、縫合により、上記外部支持体１２の内部に固定され、また、それを、シートバック３１に覆ってファスナー１２２を締めるだけで良い。
【００１４】
図５は、支持構造１ｂの第三実施例であり、上記と異なる箇所は、内部支持体１１ｂが、外部支持体１２ａと、ともに、シート状であって、上記外部支持体１２ａが、対応するように、上記内部支持体１１ｂの表面に設置され、周りにおいて、縫合により固定され、そして、両側を、それぞれ、折り返して固定し、そのため、両側に、それぞれ、収納空間１３が形成され、上記二つの収納空間１３に、シートバック３１のフレームが収納される。
【００１５】
本考案は、外部支持体１２が、シート状で、カバー体の内部支持体１１の外表面に結合されてもよく（未表示）、その組立てを変化することにより、様々の態様を実行できる。  
【００１６】
図６は、本考案にかかる支持構造１の第四実施例であり、支持構造１は、上記の各実施例のように、シート３のシートバック３１の外に設置されても良いし、シート３の座り部３２やヘッドレスト３３に設置されても良い。
【００１７】
上記の具体的な実施例の構造によれば、次の利点が得られ、上記支持構造１は、上記外部支持体１２を結合することにより、内部支持体１１の表面にある図柄１１２や文字が、はっきりに見えなくなり、層次的に視覚効果が得られ、また、上記内、外部支持体１１、１２の二重支持により、座る人に対して支持強度が向上される。
【００１８】
そのため、本考案は、より進歩的かつより実用的で、法に従って実用新案登録請求を出願する。
【００１９】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００２０】
【図１】本考案の第一実施例の立体概念図と局部拡大図
【図２】本考案の第一実施例の立体分解図
【図３】図１のａ−ａ線の断面図
【図４】本考案の第二実施例の分解図と局部拡大図
【図５】本考案の第三実施例の分解図と局部拡大図
【図６】本考案の第四実施例の立体概念図
【符号の説明】
【００２１】
１、１ａ、１ｂ  支持構造
１１、１１ａ、１１ｂ  内部支持体
１１１  開口
１１２  図柄
１１３  下端部
１２、１２ａ  外部支持体
１２１  開口
１２２  ファスナー
１３  収納空間
２  固定素子
３  シート
３１  シートバック
３２  座り部
３３  ヘッドレスト
３４  シートバック板
【図１】
0003161155.tif 000003
【図２】
0003161155.tif 000004
【図３】
0003161155.tif 000005
【図４】
0003161155.tif 000006
【図５】
0003161155.tif 000007
【図６】
0003161155.tif 000008